(57)【要約】  マスターモニターであるモニターＳＥＴ１と、スレーブモニターであるモニターＳＥＴ２及びモニターＳＥＴ３とがループ状に接続され、モニターＳＥＴ１のコマンド処理部１１１がモニターＳＥＴ２とモニターＳＥＴ３とに診断要求信号を送信し、診断結果の応答に基づき、表示部３０１にモニターＳＥＴ２とモニターＳＥＴ３との異常を表示させる。
2009153849.tif 000002
【特許請求の範囲】
【請求項１】
各々に識別情報が付与され、１の主表示装置と１又は複数の副表示装置とからなる複数の表示装置を直列に接続した診断結果表示システムであって、
前記主表示装置は、
表示部と、
前記副表示装置に診断要求信号を送信し、前記副表示装置の識別情報と、前記診断要求信号に対応する診断結果とを含む応答信号を受信する主要求信号処理部と、
前記主要求信号処理部により受信される前記応答信号の前記診断結果が、動作状態の異常を示す診断結果である場合、前記副表示装置の識別情報と、異常を示す診断結果とを前記表示部に表示させる異常通知部とを備え、
前記副表示装置は、
前記診断要求信号を受信し、自装置に付与された前記識別情報と、前記診断要求信号に対応する診断結果とを含む応答信号を送信する副要求信号処理部と、
前記主表示装置から受信する前記診断要求信号に応じて自装置が備える回路の動作状態を判定する副診断処理部とを備える
診断結果表示システム。
【請求項２】
前記主表示装置は、
自装置が備える回路の動作状態を判定する主診断処理部を備え、
前記主表示装置の前記主要求信号処理部において、前記主診断処理部による前記診断結果が異常を示す診断結果である場合、前記副表示装置のいずれかを第２主表示装置とする主表示装置移行要求信号を前記副表示装置のいずれかに送信し、自装置を副表示装置とし、
前記主表示装置移行要求信号の宛先である前記第２主表示装置の前記副要求信号処理部において、前記主表示装置移行要求信号を受信し、受信した前記主表示装置移行要求信号に基づき、前記副表示装置に診断要求信号を送信し、前記副表示装置の識別情報と、前記診断要求信号に対応する診断結果とを含む応答信号を受信し、
前記第２主表示装置は、
副表示部と、
前記副要求信号処理部により受信される前記応答信号の前記診断結果が、動作状態の異常を示す診断結果である場合、前記副表示装置の識別情報と、異常を示す診断結果とを前記副表示部に表示させる副異常通知部とを備える
請求項１に記載の診断結果表示システム。
【請求項３】
前記複数の表示装置は、リング状に接続される請求項１又は２のいずれかに記載の診断結果表示システム。
【請求項４】
前記主表示装置は、
前記識別情報を前記複数の表示装置ごとに付与する識別情報付与部を備える
請求項１から３のいずれかに記載の診断結果表示システム。
【請求項５】
各々に識別情報が付与され、１の主表示装置と１又は複数の副表示装置とからなる複数の表示装置を直列に接続した診断結果表示システムにおける前記主表示装置である表示装置であって、
表示部と、
前記副表示装置に診断要求信号を送信し、前記副表示装置の識別情報と、前記診断要求信号に対応する診断結果とを含む応答信号を受信する主要求信号処理部と、
前記主要求信号処理部により受信される前記応答信号の前記診断結果が、動作状態の異常を示す診断結果である場合、前記副表示装置の識別情報と、異常を示す診断結果とを前記表示部に表示させる異常通知部とを備える
表示装置。
【請求項６】
各々に識別情報が付与され、１の主表示装置と１又は複数の副表示装置とからなる複数の表示装置を直列に接続した診断結果表示システムにおける診断結果表示方法であって、
表示部を備える前記主表示装置が、
前記副表示装置に診断要求信号を送信するステップと、
前記副表示装置が、
前記診断要求信号を受信するステップと、
受信した前記診断要求信号に応じて自装置が備える回路の動作状態を判定するステップと、
自装置に付与された前記識別情報と、前記診断要求信号に対応する診断結果とを含む応答信号を送信するステップと、
前記主表示装置が、
前記副表示装置の識別情報と、前記診断要求信号に対応する診断結果とを含む応答信号を受信するステップと、
受信した前記応答信号の前記診断結果が、動作状態の異常を示す診断結果である場合、前記副表示装置の識別情報と、異常を示す診断結果とを前記表示部に表示させるステップとを有する
診断結果表示方法。
【発明の詳細な説明】
【技術分野】
【０００１】
本発明は、表示装置の異常診断における診断結果表示システム、表示装置、及び、診断結果表示方法に関する。
【背景技術】
【０００２】
近年、液晶ディスプレイなどのモニター（表示装置）は、個々のモニターで異常診断（自己異常検出）を行う装置がある。これらのモニターは、例えば、ＬＥＤ等によるインジケータ（パイロットランプ）を表示領域と別に備え、異常検出をした場合、これらの点滅回数などにより異常検出結果を通知する。
また、コンピュータ端末を用いずに自己診断を実行し、モニターの診断結果（異常内容）を、各々表示領域上に表示する技術がある（例えば、特許文献１）。
また、複数のモニターを接続したシステムにおいて、コンピュータ端末を接続することにより、いずれかの表示領域上に異常内容を表示するシステムが提案されている（例えば、特許文献２）。
【特許文献１】特開２０００−９７０９５号公報
【特許文献１】特開２００４−１０４７０７号公報
【発明の開示】
【発明が解決しようとする課題】
【０００３】
しかしながら、ＬＥＤ等のインジケータを用いる場合、異常があった際、オペレータ側がそのインジケータの表示の意味（異常内容）がわからなければ、どのような異常かを判別することができない。例えば、インジケータの点滅回数などによって異常内容を表示する場合、インジケータを注視し、点滅回数を確認して異常内容をオペレータが認識することは難しく、さらに複数の異常が重なった場合、複数の異常内容を表示することは困難であるという問題がある。【０００４】
また、診断結果を表示領域上に表示する場合、表示部分が壊れている場合には、診断結果を表示できないという問題がある。
また、コンピュータ端末により制御するシステムにおいて、モニターに加えて、モニターを制御するためだけのコンピュータ端末を備えることは、コストアップに繋がるという問題がある。【０００５】
本発明は、このような事情を考慮し、上記の問題を解決すべくなされたもので、その目的は、新たにコンピュータ端末等を備えることなく、オペレータに容易に複数の表示装置の異常を把握させることができる診断結果表示システム、表示装置、及び、診断結果表示方法を提供することにある。
【課題を解決するための手段】
【０００６】
上記問題を解決するために、本発明の診断結果表示システムは、各々に識別情報が付与され、１の主表示装置と１又は複数の副表示装置とからなる複数の表示装置を直列に接続した診断結果表示システムであって、前記主表示装置が、表示部と、前記副表示装置に診断要求信号を送信し、前記副表示装置の識別情報と、前記診断要求信号に対応する診断結果とを含む応答信号を受信する主要求信号処理部と、前記主要求信号処理部により受信される前記応答信号の前記診断結果が、動作状態の異常を示す診断結果である場合、前記副表示装置の識別情報と、異常を示す診断結果とを前記表示部に表示させる異常通知部とを備え、前記副表示装置が、前記診断要求信号を受信し、自装置に付与された前記識別情報と、前記診断要求信号に対応する診断結果とを含む応答信号を送信する副要求信号処理部と、前記主表示装置から受信する前記診断要求信号に応じて自装置が備える回路の動作状態を判定する副診断処理部とを備える。【０００７】
また、本発明の診断結果表示システムにおいて、前記主表示装置は、自装置が備える回路の動作状態を判定する主診断処理部を備え、前記主表示装置の前記主要求信号処理部において、前記主診断処理部による前記診断結果が異常を示す診断結果である場合、前記副表示装置のいずれかを第２主表示装置とする主表示装置移行要求信号を前記副表示装置のいずれかに送信し、自装置を副表示装置とし、前記主表示装置移行要求信号の宛先である前記第２主表示装置の前記副要求信号処理部において、前記主表示装置移行要求信号を受信し、受信した前記主表示装置移行要求信号に基づき、前記副表示装置に診断要求信号を送信し、前記副表示装置の識別情報と、前記診断要求信号に対応する診断結果とを含む応答信号を受信し、前記第２主表示装置は、副表示部と、前記副要求信号処理部により受信される前記応答信号の前記診断結果が、動作状態の異常を示す診断結果である場合、前記副表示装置の識別情報と、異常を示す診断結果とを前記副表示部に表示させる副異常通知部とを備えてもよい。【０００８】
また、本発明の診断結果表示システムにおいて、前記複数の表示装置は、リング状に接続されてもよい。【０００９】
また、本発明の診断結果表示システムにおいて、前記主表示装置は、前記識別情報を前記複数の表示装置ごとに付与する識別情報付与部を備えてもよい。【００１０】
また、本発明の表示装置は、各々に識別情報が付与され、１の主表示装置と１又は複数の副表示装置とからなる複数の表示装置を直列に接続した診断結果表示システムにおける前記主表示装置である表示装置であって、表示部と、前記副表示装置に診断要求信号を送信し、前記副表示装置の識別情報と、前記診断要求信号に対応する診断結果とを含む応答信号を受信する主要求信号処理部と、前記主要求信号処理部により受信される前記応答信号の前記診断結果が、動作状態の異常を示す診断結果である場合、前記副表示装置の識別情報と、異常を示す診断結果とを前記表示部に表示させる異常通知部とを備える。【００１１】
また、本発明の診断結果表示方法は、各々に識別情報が付与され、１の主表示装置と１又は複数の副表示装置とからなる複数の表示装置を直列に接続した診断結果表示システムにおける診断結果表示方法であって、表示部を備える前記主表示装置が、前記副表示装置に診断要求信号を送信するステップと、前記副表示装置が、前記診断要求信号を受信するステップと、受信した前記診断要求信号に応じて自装置が備える回路の動作状態を判定するステップと、自装置に付与された前記識別情報と、前記診断要求信号に対応する診断結果とを含む応答信号を送信するステップと、前記主表示装置が、前記副表示装置の識別情報と、前記診断要求信号に対応する診断結果とを含む応答信号を受信するステップと、受信した前記応答信号の前記診断結果が、動作状態の異常を示す診断結果である場合、前記副表示装置の識別情報と、異常を示す診断結果とを前記表示部に表示させるステップとを有する。
【発明の効果】
【００１２】
本発明によれば、直列に接続される複数の表示装置のうち、主表示装置が他の表示装置である副表示装置に対し、診断要求信号を送信し、当該診断要求信号の応答を受信することとした。
これにより、主表示装置が備える表示部が、異常が検出された副表示装置の識別情報、及び、診断結果の表示するようにしたため、いずれの表示装置においてどのような異常を発生しているかをオペレータに容易に認識させることが、コンピュータ端末等の外部装置を備えることなく実現することが可能になるという効果がある。
【図面の簡単な説明】
【００１３】
【図１】本発明の一実施形態による診断結果表示システムの全体構成を示すブロック図である。
【図２】同実施形態におけるモニターＳＥＴ１のモード１状態における内部構成を示す図である。
【図３】同実施形態におけるモニターＳＥＴ２のモード２状態における内部構成を示す図である。
【図４】同実施形態におけるモニターＳＥＴ２のモード３状態における内部構成を示す図である。
【図５】同実施形態におけるスレーブモニターにおける動作の流れを示す図である。
【図６】同実施形態におけるマスターモニターにおける動作の流れを示す図である。
【図７】同実施形態におけるスレーブモニターにおけるモード遷移状態を示す概念図である。
【図８】同実施形態におけるマスターモニター変更におけるモード遷移状態を示す概念図である。
【符号の説明】
【００１４】
１０１、１０２、１０３    制御部
１１１、１１２、１１３    コマンド処理部
１２１、１２２、１２３    スイッチ制御部
１３１、１３２、１３３    診断処理部
１４１、１４２、１４３    入力部
１５１、１５２、１５３    識別情報記憶部
１６１、１６２、１６３    診断結果記憶部
２０１、２０２、２０３    クロス／ストレート切替部
３０１、３０２、３０３    表示部
ＩＮ５１、ＩＮ５２、ＩＮ５３、ＯＵＴ６１、ＯＵＴ６２、ＯＵＴ６３    シリアルポート
ＳＥＴ１、ＳＥＴ２、ＳＥＴ３    モニター
ＳＷＲ１１、ＳＷＲ１２、ＳＷＲ１３、ＳＷＲ２１、ＳＷＲ２２、ＳＷＲ２３、ＳＷＲ３１、ＳＷＲ３２、ＳＷＲ３３、ＳＷＴ１１、ＳＷＴ１２、ＳＷＴ１３、ＳＷＴ２１、ＳＷＴ２２、ＳＷＴ２３、ＳＷＴ３１、ＳＷＴ３２、ＳＷＴ３３    スイッチ
【発明を実施するための最良の形態】
【００１５】
以下、本発明の一実施形態による診断結果表示システムを図面を参照して説明する。図１は、本実施形態による診断結果表示システムを示すブロック図である。診断結果表示システムは、例えば、ＲＳ２３２Ｃなどのインタフェースによるシリアルケーブルを介してループ状（数珠繋ぎ状）に接続される表示装置としてのモニターＳＥＴ１、モニターＳＥＴ２、モニターＳＥＴ３からなる。また、診断結果表示システムが備える複数の表示装置は、１のマスターモニターと、１又は複数のスレーブモニターからなり、このマスターモニターが、スレーブモニターの診断結果の情報を収集し、表示する。【００１６】
次に、各装置の内部構成について説明する。なお、モニターＳＥＴ２、モニターＳＥＴ３の構成は、上述のモニターＳＥＴ１の構成と同様であるため、各装置の識別のために符号末尾１桁を異なる数字とする符号番号を付して、モニターＳＥＴ１を例に説明する。【００１７】
モニターＳＥＴ１は、ＣＲＴ（cathode ray tube）やＬＣＤ（liquid crystal display）などの表示装置であり、他のモニターと接続する２つのシリアルポートＩＮ５１とシリアルポートＯＵＴ６１、制御部１０１、クロス／ストレート切替部２０１、表示部３０１診断処理部１３１、入力部１４１、識別情報記憶部１５１、診断結果記憶部１６１、スイッチＳＷＲ１１、スイッチＳＷＲ２１、スイッチＳＷＲ３１、スイッチＳＷＴ１１、スイッチＳＷＴ２１、スイッチＳＷＴ３１を備える。【００１８】
クロス／ストレート切替部２０１は、シリアルポートＩＮ５１のＲＸＤ−ＩＮからシリアルポートＯＵＴ６１のＲＸＤ−ＯＵＴまでのＲＸＤラインと、シリアルポートＩＮ５１のＴＸＤ−ＩＮからシリアルポートＯＵＴ６１のＴＸＤ−ＯＵＴまでのＴＸＤラインとの２ラインに対し、制御部１０１のＴＸＤ側、ＲＸＤ側のいずれを接続するかを切り換えるクロス接続とストレート接続との切替えを行う。【００１９】
モニターＳＥＴ１内部のＲＸＤラインにおいて、スイッチＳＷＲ１１と、スイッチＳＷＲ２１とが、ＲＸＤラインと制御部１０１とを接続する接続点を介してＲＸＤライン上に配置される。同様に、モニターＳＥＴ１内部のＴＸＤラインにおいて、スイッチＳＷＴ１１と、スイッチＳＷＴ２１とが、ＴＸＤラインと制御部１０１とを接続する接続点を介してＴＸＤライン上に配置される。【００２０】
また、スイッチＳＷＲ３１は、モニターＳＥＴ１内部のＲＸＤラインと制御部１０１とを接続するラインにおいて、ＲＸＤラインの接続点と、クロス／ストレート切替部２０１との間に配置される。同様に、スイッチＳＷＴ３１は、モニターＳＥＴ１内部のＴＸＤラインと制御部１０１とを接続するラインにおいて、ＴＸＤラインの接続点と、クロス／ストレート切替部２０１との間に配置される。【００２１】
シリアルポートＩＮ５１は、シリアルケーブルにより、モニターＳＥＴ３のシリアルポートＯＵＴ６３に接続される。シリアルポートＯＵＴ６１は、シリアルケーブルにより、モニターＳＥＴ２のシリアルポートＩＮ５２に接続される。
表示部３０１は、画素を組み合わせることで情報を表示する画面である。【００２２】
制御部１０１は、コマンド処理部１１１とスイッチ制御部１２１とを備え、モニターＳＥＴ１の各部の制御を行う。コマンド処理部１１１は、要求信号の出力を行い、入力される要求信号に応じて処理を実行する。
スイッチ制御部１２１は、コマンド処理部１１１からのスイッチ切替要求に応じて、各種スイッチのオンとオフとの切替えや、クロス／ストレート切替部２０１のクロスとストレートとの切替えなど、各スイッチを制御する。なお、以下では、各スイッチにおける通信線（ライン）が導通状態であることをオン、各スイッチにおける通信線が導通していない状態をオフと称する。【００２３】
診断処理部１３１は、コマンド処理部１１１からの診断実行要求に応じて、自モニターの故障を検出し、故障箇所、故障内容などを診断結果としてコマンド処理部１１１に出力する。
入力部１４１は、キーボード、マウス、タッチパネル、ボタンやキーなどによりオペレータの操作入力を受け付け、当該操作により入力される情報を制御部１０１に出力する。【００２４】
識別情報記憶部１５１は、自装置の識別情報と、マスターモニターの識別情報と、接続する全ての他スレーブモニターの識別情報とを記憶する。診断結果記憶部１６１は、診断処理部１３１の診断結果を識別情報に対応付けて記憶する。この識別情報は、例えば、予めオペレータによる入力部１４１の入力操作に基づき付与されることとしてもよいし、予め、各表示装置ごとに固有の製造番号などを用いることでもよい。
本実施形態において、モニターＳＥＴ１に識別情報「０００１」が付与され、モニターＳＥＴ２に識別情報「０００２」が付与され、モニターＳＥＴ３に識別情報「０００３」が付与される場合を例に説明する。【００２５】
次に、モード（ＭＯＤＥ）１〜モード３における各装置内部のラインの接続状態について、図面を用いて説明する。ここで、モード１とは、診断要求信号の送信や、各装置の診断結果を受信し、診断結果を表示するマスターモニターとなる装置に適用されるマスターモードである。また、モード２は、要求信号の受信待機時においてスレーブモニターに適用される第１のスレーブモードである。また、モード３は、受信した自装置宛の診断要求信号に対する診断結果の応答時においてスレーブモニターに適用される第２のスレーブモードである。【００２６】
図２は、モニターＳＥＴ１がマスターモードであるモード１の場合におけるラインの接続状況、すなわち、スイッチＳＷＲ１１、スイッチＳＷＴ１１、スイッチＳＷＲ２１、スイッチＳＷＴ２１、スイッチＳＷＲ３１、スイッチＳＷＴ３１、クロス／ストレート切替部２０１の導通状態を示す図である。
モード１状態の場合、図示するようにモニターＳＥＴ１において、スイッチＳＷＲ１１と、スイッチＳＷＴ１１とがオフ状態であり、クロス／ストレート切替部２０１が、ＲＸＤラインと制御部１０１のＴＸＤ側とを接続し、ＴＸＤラインと制御部１０１のＲＸＤ側とを接続する。また、スイッチＳＷＲ２１、スイッチＳＷＴ２１、スイッチＳＷＲ３１、スイッチＳＷＴ３１は、いずれもオン状態である。【００２７】
ここで、制御部１０１がＴＸＤ側から出力する信号は、クロス／ストレート切替部２０１でクロスされ、スイッチＳＷＲ３１を介してＲＸＤラインに伝送される。
また、シリアルポートＯＵＴ６１のＴＸＤ−ＯＵＴ側から入力されるＴＸＤラインの信号は、スイッチＳＷＴ２１、スイッチＳＷＴ３１を介してクロス／ストレート切替部２０１でクロスされ、制御部１０１のＲＸＤ側に入力される。
以下、ＲＸＤラインと制御部１０１のＲＸＤ側とを接続し、ＴＸＤラインと制御部１０１のＴＸＤ側とを接続する場合をストレート状態であると称し、ＲＸＤラインと制御部１０１のＴＸＤ側とを接続し、ＴＸＤラインと制御部１０１のＲＸＤ側とを接続する場合をクロス状態であると称する。【００２８】
次に、モード２の接続状況について説明する。図３は、モニターＳＥＴ２が第１のスレーブモードであるモード２の場合におけるラインの接続状況を示す図である。
モード２状態の場合、図示するようにモニターＳＥＴ２において、スイッチＳＷＴ３２がオフ状態、クロス／ストレート切替部２０２がストレート状態、スイッチＳＷＲ１２、スイッチＳＷＴ１２、スイッチＳＷＲ２２、スイッチＳＷＴ２２、スイッチＳＷＲ３２がいずれもオン状態である。【００２９】
ここで、シリアルポートＩＮ５２のＲＸＤ−ＩＮ側から入力される信号は、スイッチＳＷＲ１２、スイッチＳＷＲ３２、クロス／ストレート切替部２０２を介して制御部１０２のＲＸＤ側に入力されるルートと、スイッチＳＷＲ１２、スイッチＳＷＲ２２を介してシリアルポートＯＵＴ６２のＲＸＤ−ＯＵＴ側から出力されるルートとの２ルートに伝送される。シリアルポートＯＵＴ６２のＴＸＤ−ＯＵＴ側から入力される信号は、スイッチＳＷＴ２２、スイッチＳＷＴ１２を介してシリアルポートＩＮ５２のＴＸＤ−ＩＮ側に出力され、スイッチＳＷＴ３２がオフ状態であることにより、制御部１０２には出力されない。【００３０】
次に、モード３の接続状況について説明する。図４は、モニターＳＥＴ２が第２のスレーブモードであるモード３の場合におけるラインの接続状況を示す図である。
モード３状態の場合、図示するようにモニターＳＥＴ２において、スイッチＳＷＴ２２がオフ状態、クロス／ストレート切替部２０２がストレート状態、スイッチＳＷＲ１２、スイッチＳＷＴ１２、スイッチＳＷＲ２２、スイッチＳＷＲ３２、スイッチＳＷＴ３２のいずれもオン状態である。図３のモード２と異なる点は、モード３において、スイッチＳＷＴ２２がオフ状態である点と、スイッチＳＷＴ３２がオン状態である点である。【００３１】
ここで、制御部１０２のＴＸＤ側から出力される信号（例えば、診断結果の応答）は、クロス／ストレート切替部２０２、スイッチＳＷＴ３２、スイッチＳＷＴ１２を介して、シリアルポートＩＮ５２のＴＸＤ−ＩＮ側から出力される。
また、スイッチＳＷＴ３２がオフ状態であることにより、シリアルポートＯＵＴ６２のＴＸＤ−ＯＵＴ側から入力される信号はシリアルポートＩＮ５２のＴＸＤ−ＩＮ側に出力されない。これにより、他装置の出力信号と自装置の制御部１０２が出力する信号との混線を防止することが可能になる。【００３２】
また、ＲＸＤラインにおいて、シリアルポートＩＮ５２のＲＸＤ−ＩＮ側から入力される信号は、モード２と同様に、２ルートに伝送される。
上述したように、モニターＳＥＴ１、モニターＳＥＴ２、モニターＳＥＴ３は、モード１〜３のいずれかの接続状態となるようにスイッチ制御部１２２により制御される。【００３３】
次に、本発明の一実施形態による診断結果表示システムの動作について説明する。
スレーブモニターの処理の流れについて説明し、次にマスターモニターの処理の流れをフローチャートを用いて説明する。図５は、スレーブモニターの処理フローを示す。ここでは、モード２の状態におけるスレーブモニターの動作について、モニターＳＥＴ２の動作を代表例として説明する。【００３４】
モニターＳＥＴ２において、制御部１０２は、シリアルポートＩＮ５２から入力されるモニターＳＥＴ１からの要求信号を、スイッチＳＷＲ１２、スイッチＳＷＲ１３、クロス／ストレート切替部２０２を介して受信する（ステップＳ１）。ここで、制御部１０２が受信する要求信号は、診断要求信号、又は、モード１移行要求信号のいずれかである。【００３５】
制御部１０２において、コマンド処理部１１２は、識別情報記憶部１５２から自装置の識別情報「０００２」を読み出し、読み出した識別情報と受信した要求信号に含まれる宛先の識別情報とが一致するか否かにより、受信した要求信号が自装置宛か否かを判定する（ステップＳ２）。
コマンド処理部１１２は、自装置宛の要求信号ではないと判定した場合、この要求信号にかかる処理を終了し、自装置宛の要求信号であると判定した場合、ステップＳ３の処理に進む。【００３６】
コマンド処理部１１２は、受信した自装置宛の要求信号の信号種別が、診断要求信号、又は、モード１移行要求信号のいずれであるかを判定する（ステップＳ３）。ステップＳ３において、要求信号が診断要求信号であることを示す判定結果である場合、コマンド処理部１１２は、現在のモード２からモード３への移行を指示するスイッチ切替要求をスイッチ制御部１２２に出力する。スイッチ制御部１２２は、スイッチＳＷＴ３２をオンに切り換え、スイッチＳＷＴ２２をオフに切り換えることにより、モニターＳＥＴ２をモード３に移行させる（ステップＳ４）。【００３７】
スイッチ制御部１２２は、モード３に移行させる切替処理が完了すると、切替完了をコマンド処理部１１２に応答する。コマンド処理部１１２は、スイッチ制御部１２２からの切替完了の応答に基づき、診断処理の要求を診断処理部１３２に出力する。診断処理部１３２は、コマンド処理部１１２から入力される診断処理の要求に応じて、診断処理を行い、診断結果をコマンド処理部１１２に応答する（ステップＳ６）。【００３８】
コマンド処理部１１２は、識別情報記憶部１５２が記憶する自装置の識別情報「０００２」に対応付けて応答された診断結果を診断結果記憶部１６２に書き込み（ステップＳ７）、送信元の識別情報「０００２」と、宛先の識別情報「０００１」とを含む診断結果の応答をマスターモニターであるモニターＳＥＴ１に送信する（ステップＳ８）。ここで、診断結果の応答は、図４に図示するモード３のスイッチの状態により、コマンド処理部１１２を備える制御部１０２のＴＸＤ側からクロス／ストレート切替部２０２、スイッチＳＷＴ３２、スイッチＳＷＴ１２を介して、シリアルポートＩＮ５２のＴＸＤ−ＩＮ側からモニターＳＥＴ１に送信される。【００３９】
コマンド処理部１１２は、応答処理後、スイッチ制御部１２２に現在のモード３からモード２への移行を指示するスイッチ切替要求をスイッチ制御部１２２に出力する。スイッチ制御部１２２は、ステップＳ４の処理時に切り換えたスイッチＳＷＴ３２をオフに切り換え、スイッチＳＷＴ２２をオンに切り換えることにより、モニターＳＥＴ２をモード２に移行させる（ステップＳ８）。【００４０】
また、ステップＳ３において、要求信号がモード１移行要求信号であることを示す判定結果である場合、コマンド処理部１１２は、現在のモード２からモード１への移行を指示するスイッチ切替要求をスイッチ制御部１２２に出力する。スイッチ制御部１２２は、スイッチＳＷＴ３２をオンに切り換え、スイッチＳＷＴ１２とスイッチＳＷＲ１２とをオフに切り換え、クロス／ストレート切替部２０２をストレート接続からクロス接続に切り換えることにより、モニターＳＥＴ２をモード１に移行させ、図６に示すマスターモニターの処理（Ａ）に遷移する（ステップＳ９）。
以上のステップＳ１〜９の処理を行うことにより、モニターＳＥＴ２は、マスターモニターであるモニターＳＥＴ１から受信する要求信号に応じた処理を実行する。【００４１】
次に、マスターモニターの処理の流れをフローチャートを用いて説明する。図６は、マスターモニターの処理フローを示す。ここでは、モード１の状態におけるマスターモニターの動作について、モニターＳＥＴ１がスレーブモニターのモニターＳＥＴ３に対する診断要求信号を送信する動作を代表例として説明する。
モニターＳＥＴ１において、制御部１０１のコマンド処理部１１１は、診断処理の開始契機に基づき、診断処理の要求を診断処理部１３１に出力する。
診断処理部１３１は、コマンド処理部１１１から入力される診断処理の要求に応じて、診断処理を行い、診断結果をコマンド処理部１１１に応答する（ステップＳ１１）。ここで、診断処理の開始契機は、例えば、定期診断開始契機である所定周期ごとや、モード１のマスターモニターへの移行時、オペレータからの指示入力時などである。【００４２】
コマンド処理部１１１は、識別情報記憶部１５１が記憶する自装置の識別情報「０００１」に対応付けて、応答された診断結果を診断結果記憶部１６１に書き込み（ステップＳ１２）、診断結果に基づき、自装置がマスターモードの処理を実行することが可能であるか否かを判定する（ステップＳ１３）。ここで、マスターモードの処理実行可否の判定は、例えば、マスターモニター自身の表示部３０１部分に故障がある場合や、コマンド処理部１１１の要求信号に対する応答の受信が不可能である場合などである。
コマンド処理部１１１は、自装置がマスターモードの処理を実行可能であることと判定した場合、識別情報記憶部１５１から自装置以外のモニターの識別情報を読み出し、送信元の識別情報「０００１」と、宛先の識別情報（ここでは、モニターＳＥＴ３の識別情報「０００３」）とを含む診断要求信号を送信する。【００４３】
ここで、診断要求信号は、図２に図示するモード１のスイッチの状態により、コマンド処理部１１１を備える制御部１０１のＴＸＤ側からクロス／ストレート切替部２０１でクロスされ、スイッチＳＷＲ３１、スイッチＳＷＲ２１を介してシリアルポートＯＵＴ６１のＲＸＤ−ＯＵＴ側から送信される。
また、図１に図示するように、モニターＳＥＴ１がモード１、モニターＳＥＴ２及びモニターＳＥＴ３がモード２である場合、モニターＳＥＴ１が送信する信号は、制御部１０１のＴＸＤ側を始点、オフ状態のスイッチＳＷＲ１１までを終点として伝送され、モニターＳＥＴ２及びモニターＳＥＴ３において受信される。【００４４】
スイッチＳＷＲ１１がオフ状態であることにより、ループ状に接続されるモニターＳＥＴ１、モニターＳＥＴ２、モニターＳＥＴ３において、要求信号が無限ループすることを防ぐことができる。同様に、スイッチＳＷＴ１１がオフ状態であることにより、スレーブモニターから送信される診断結果の応答の信号が無限ループすることを防ぐことができる。【００４５】
図６に戻り、モニターＳＥＴ１において、モニターＳＥＴ３から送信される診断結果の応答は、シリアルポートＯＵＴ６１のＴＸＤ−ＯＵＴ側からスイッチＳＷＴ２１、スイッチＳＷＴ３１を介し、クロス／ストレート切替部２０１でクロスされ、制御部１０１がＲＸＤ側から受信する（ステップＳ１５）。【００４６】
制御部１０１において、コマンド処理部１１１は、受信した診断結果の応答に含まれる送信元の識別情報「０００３」に対応付けて、新たな診断結果として診断結果記憶部１６１に書き込む（ステップＳ１６）。コマンド処理部１１１は、ステップＳ１４において識別情報記憶部１５１から読み出した全ての識別情報に対応する新たな診断結果が診断結果記憶部１６１に記憶されているか否かに基づき、全ての装置に対する診断が終了したか否かを判定する（ステップＳ１７）。【００４７】
コマンド処理部１１１は、全ての装置に対する診断が終了していないことと判定した場合、ステップＳ１４に戻り、全ての装置に対する診断が終了するまでステップＳ１４〜Ｓ１７の処理を繰り返す。
また、全ての装置に対する診断が終了したことと判定した場合、モニターＳＥＴ１は、診断結果記憶部１６１が記憶する診断結果を表示部３０１に表示させ、診断処理を終了する。なお、この診断結果の表示は、いずれのモニターにおいても異常がない場合には表示しないようにしてもよい（ステップＳ１８）。【００４８】
また、ステップＳ１３において、コマンド処理部１１１は、モニターＳＥＴ１の診断結果に基づき、自装置においてマスターモードの処理を実行することが不可能であることと判定した場合、他の装置にモード１移行要求信号を送信する（ステップＳ１９）。なお、モード１移行要求信号には、送信元の識別情報「０００１」、宛先の識別情報（例えば、モニターＳＥＴ２の識別情報「０００２」）、マスターモニターの候補の識別情報が含まれている。【００４９】
ここで、モード１移行要求信号の宛先は、例えば、識別情報記憶部１５１が記憶する他の装置の識別情報のいずれかを選択することでもよいし、診断結果記憶部１６１が記憶する最新の診断結果の情報のうち、マスターモードの処理を実行することが可能である診断結果に対応する識別情報のいずれかを選択することでもよい。また、他の装置からモード１移行要求信号を受信した場合、モード１移行要求信号に含まれるマスターモニター候補の識別情報のうち、自装置の識別情報以外の識別情報を選択することでもよい。
宛先の識別情報の選択は、ランダムに選択することでもよいし、識別情報の数字の値が最小の識別情報を選択することなど、自装置以外の識別情報を選択する方法であればいずれの選択方法でも適用可能である。【００５０】
コマンド処理部１１１は、モード１移行要求信号を送信すると、現在のモード１からモード３への移行を指示するスイッチ切替要求をスイッチ制御部１２１に出力する。スイッチ制御部１２１は、クロス／ストレート切替部２０１をクロスからストレート接続に切替え、スイッチＳＷＴ３１をオフに切替え、スイッチＳＷＲ１１及びスイッチＳＷＴ１１をオンに切り換えることにより、モニターＳＥＴ１をモード２に移行させる（ステップＳ２０）。【００５１】
次に、診断結果表示システムにおける全体の動作の概略、及び、信号の流れについて、スレーブモードのモニターＳＥＴ３が、マスターモードのモニターＳＥＴ１からの診断要求信号に応じて診断結果をモニターＳＥＴ１に送信する場合を例に説明する。
図７は、モニターＳＥＴ１がモニターＳＥＴ３宛に診断要求信号を送信した場合のモニターＳＥＴ３のモード遷移状態、及び、ラインの接続状態を示す概念図である。
上述したように、モニターＳＥＴ１の制御部１０１から送信される診断要求信号は、クロス／ストレート切替部２０１においてクロスされ、スイッチＳＷＲ３１、スイッチＳＷＲ２１を介してシリアルポートＯＵＴ６１のＲＸＤ−ＯＵＴ側からモニターＳＥＴ２に出力される。【００５２】
モニターＳＥＴ２において、シリアルポートＩＮ５２のＲＸＤ−ＩＮ側から入力された診断要求信号は、スイッチＳＷＲ１２、スイッチＳＷＲ２２を介してシリアルポートＯＵＴ６２のＲＸＤ−ＯＵＴ側からモニターＳＥＴ３に出力される。
モニターＳＥＴ３において、シリアルポートＩＮ５３のＲＸＤ−ＩＮ側から入力された診断要求信号は、スイッチＳＷＲ１３、スイッチＳＷＲ３３、ストレート状態のクロス／ストレート切替部２０３を介して制御部１０３のＲＸＤ側に出力される。【００５３】
制御部１０３において、コマンド処理部１１３は、自装置宛の診断要求信号であるため、図５に示すステップＳ４において、モード２からモード３への移行要求をスイッチ制御部１２３に出力し、スイッチ制御部１２３がスイッチＳＷＴ２３、スイッチＳＷＴ３３の切替えを行うことにより、モニターＳＥＴ３をモード３に遷移させる。
次に、モニターＳＥＴ３において、診断処理部１３３による診断処理の診断結果を応答する際、制御部１０３のＴＸＤ側から出力された診断結果の応答信号は、ストレート状態のクロス／ストレート切替部２０３、スイッチＳＷＴ３３、スイッチＳＷＴ１３を介して、シリアルポートＩＮ５３のＴＸＤ−ＩＮ側からモニターＳＥＴ２に出力される。【００５４】
モニターＳＥＴ２において、モニターＳＥＴ３からの応答信号は、シリアルポートＯＵＴ６２のＴＸＤ−ＯＵＴ側からスイッチＳＷＴ２２、スイッチＳＷＴ１２を介してシリアルポートＩＮ５２のＴＸＤ−ＩＮ側からモニターＳＥＴ１に出力される。
モニターＳＥＴ１において、モニターＳＥＴ２を介して入力されるモニターＳＥＴ３の応答信号は、シリアルポートＯＵＴ６２のＴＸＤ−ＯＵＴ側からスイッチＳＷＴ２１、スイッチＳＷＴ３１を介して、クロス／ストレート切替部２０１でクロスされ、制御部１０１のＲＸＤ側に入力され、制御部１０１のコマンド処理部１１１が診断結果記憶部１６１に診断結果を書き込む。【００５５】
一方、モニターＳＥＴ３において、制御部１０３のコマンド処理部１１３は、診断結果を応答すると、図５のステップＳ８において、モード３からモード２への移行要求をスイッチ制御部１２３に出力する。スイッチ制御部１２３は、スイッチＳＷＴ２３、スイッチＳＷＴ３３の切替えを行うことにより、モニターＳＥＴ３をモード２に遷移させる。【００５６】
なお、モニターＳＥＴ２において、ＲＸＤラインに入力されるモニターＳＥＴ３宛の診断要求信号は、スイッチＳＷＲ３２、ストレート状態のクロス／ストレート切替部２０２を介して制御部１０２に入力される。ここで、図５のステップＳ２において、制御部１０２のコマンド処理部１１２が、入力された診断要求信号に対し、自装置宛の要求信号ではないと判定して処理を終了するため、診断要求信号は、モニターＳＥＴ３のみにおいて処理される。【００５７】
また、モニターＳＥＴ２において、ＴＸＤラインに入力されるモニターＳＥＴ３からモニターＳＥＴ１宛の診断結果の応答の信号は、スイッチＳＷＴ３２がオフ状態であるため、制御部１０２には出力されない。
以上が、マスターモニターのモニターＳＥＴ１が出力する診断要求信号の流れ、診断要求信号に対応する診断結果の応答の信号の流れ、また、応答に伴うスレーブモニターのモニターＳＥＴ２のモード移行の概要となる。【００５８】
次に、マスターモニターであるモニターＳＥＴ１において、自装置の診断結果がマスターモードの処理が不可能であることを示す結果であった場合に、他の装置がマスターモニターとなる際の信号処理の流れ、及び、各装置のモード移行状態について、説明する。
図８は、マスターモニターがモニターＳＥＴ１からモニターＳＥＴ２に変更となる場合のモニターＳＥＴ１、及びモニターＳＥＴ２のモード遷移状態、及びライン接続状態を示す概念図である。【００５９】
モニターＳＥＴ１において、図６のステップＳ１３において、コマンド処理部１１１は、自装置がマスターモードの処理を実行可能ではないと判定した場合、ステップＳ１９の処理として、例えば、ＲＸＤラインの信号進行方向に隣接するモニターＳＥＴ２を宛先として、モード１移行要求信号を出力する。また、コマンド処理部１１１は、図６のステップＳ２０において、モード１からモード２への移行要求をスイッチ制御部１２１に出力する。【００６０】
スイッチ制御部１２１は、スイッチＳＷＲ１１、スイッチＳＷＴ１１、スイッチＳＷＴ３１、クロス／ストレート切替部２０１の切替えを行うことにより、モニターＳＥＴ１をモード２に遷移させる。
一方、制御部１０１のＴＸＤ側から出力されるモード１移行要求信号は、クロス／ストレート切替部２０１でクロスされ、スイッチＳＷＲ３１、スイッチＳＷＲ２１を介してシリアルポートＯＵＴ６１のＲＸＤ−ＯＵＴ側からモニターＳＥＴ２に出力される。
モニターＳＥＴ２において、モード１移行要求信号は、シリアルポートＩＮ５２のＲＸＤ−ＩＮ側からスイッチＳＷＲ１２、スイッチＳＷＲ２２、ストレート状態のクロス／ストレート切替部２０２を介して制御部１０２のＲＸＤ側に出力される。【００６１】
コマンド処理部１１２は、入力される要求信号が自装置宛のモード１移行要求信号であると判定し、図５のステップＳ９において、スイッチ制御部１２２にモード２からモード１への移行要求をスイッチ制御部１２２に出力する。スイッチ制御部１２２は、スイッチＳＷＲ１２、スイッチＳＷＴ１２、スイッチＳＷＴ３２、クロス／ストレート切替部２０２の切替えを行うことにより、モニターＳＥＴ２をモード１に遷移させ、マスターモニターの処理として、図６のステップＳ１１の処理に移行する。以上が、マスターモニターであるモニターＳＥＴ１がマスターモニターの処理を実行できない場合に、他の装置（例えば、モニターＳＥＴ２）がマスターモニターとなり、モニターＳＥＴ１がスレーブモニターとなる際の信号の流れ、及びモード遷移の流れの概要である。【００６２】
上述の実施形態によれば、複数の表示装置（モニターＳＥＴ１、モニターＳＥＴ２、モニターＳＥＴ３）のうち、いずれか１の装置がマスターモニターとなり、他の装置の診断結果を集約し、他の装置の故障内容を表示するようにしたことにより、自装置における故障内容を表示できない場合であっても、他の装置であるマスターモニターが、故障内容を表示することにより、オペレータに通知することが可能になるという効果がある。
また、直列に接続するのみではなく、ループに接続することにより、今までマスターであったモニターは、他のスレーブモニターから自己診断コマンドを受信することが可能となるため、今までマスターであったモニターが切り離されることはなくなる。また、いずれの表示装置においても、マスターモニターに移行することが可能になるという効果がある。【００６３】
また、マスターモニター自身が故障した場合、他の装置がマスターモニターとなるようにしたことにより、自装置の故障内容を他の装置であるマスターモニターに表示させることができる。オペレータは、マスターモニターが故障した場合に、故障したマスターモニターの故障を解消する前に他の装置における故障の有無について一括して把握することが可能になる。これにより、マスターモニターを含む複数の装置の故障があった場合に、マスターモニターの故障を解消後に他の故障が表示され、オペレータが再び他の装置に対する復旧作業を行うという二度手間の発生を防止することが可能になるという効果がある。
すなわち、本実施形態によれば、複数の表示装置において、装置間をシリアル通信で接続することで、表示装置の異常情報を相互で取得することが可能になる。【００６４】
なお、上述の実施形態において、モニターＳＥＴ１、モニターＳＥＴ２、モニターＳＥＴ３をループ状に接続することとしたが、モニターＳＥＴ１とモニターＳＥＴ２とモニターＳＥＴ３とを直列に接続するようにしてもよい。
また、各装置間の接続は、シリアルケーブルに限らず、例えば、ＬＡＮ（Local Area Network）などのネットワークケーブルなどを適用することも可能である。【００６５】
なお、本発明に記載の複数の表示装置は、モニターＳＥＴ１、モニターＳＥＴ２、モニターＳＥＴ３に対応する。また、本発明に記載の主表示装置は、モード１の表示装置（例えば、図１のモニターＳＥＴ１）に対応し、本発明に記載の副表示装置は、モード２又は３の表示装置（例えば、図１のモニターＳＥＴ２、モニターＳＥＴ３）に対応し、本発明に記載の主要求信号処理部は、モード１のコマンド処理部（例えば、コマンド処理部１１１）に対応し、本発明に記載の副要求信号処理部は、モード２又は３のコマンド処理部（例えば、コマンド処理部１１２、コマンド処理部１１３）に対応し、本発明に記載の主異常通知部は、モード１のコマンド処理部（例えば、コマンド処理部１１１）に対応する。【００６６】
なお、上述のモニターＳＥＴ１、モニターＳＥＴ２、及び、モニターＳＥＴ３は、内部にコンピュータシステムを有している。そして、モニターＳＥＴ１〜ＳＥＴ３の各スイッチ、クロス／ストレート切替部２０１〜２０３、制御部１０１〜１０３、診断処理部１３１〜１３３、入力部１４１〜１４３、識別情報記憶部１５１〜１５３、診断結果記憶部１６１〜１６３、表示部３０１〜３０３の動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。【００６７】
また、図５、６に示す各ステップを実現するためのプログラムをコンピュータ読み取り可能な記録媒体に記録して、また、図１に示すモニターＳＥＴ１、モニターＳＥＴ２、モニターＳＥＴ３の機能を実現するためのプログラムをコンピュータ読み取り可能な記録媒体に記録して、この記録媒体に記録されたプログラムをコンピュータシステムに読み込ませ、実行することにより、複数の表示装置のうち、マスターモニターが、他の装置の故障内容を表示する処理を行ってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。【００６８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【図１】
2009153849.tif 000003
【図２】
2009153849.tif 000004
【図３】
2009153849.tif 000005
【図４】
2009153849.tif 000006
【図５】
2009153849.tif 000007
【図６】
2009153849.tif 000008
【図７】
2009153849.tif 000009
【図８】
2009153849.tif 000010
【国際調査報告】
2009153849.tif 000011
2009153849.tif 000012
2009153849.tif 000013
2009153849.tif 000014